(57)【要約】【課題】おねしょや夜尿症を治すことを可能とする夜尿抑制具を提供することである。【解決手段】ユーザが睡眠を取る際に手首２に巻装して夜尿を未然に防ぐ夜尿抑制具１０であって、厄除け、魔除け、招福、開運、幸運の中の少なくとも１つのユーザの願いを象った縁起物１２と、縁起物１２を収容し、手首２に巻装可能な布部材１４と、を備えることを特徴とする。布部材は、ユーザが普段から使用しているハンカチ又はタオルであることが好ましい。【選択図】図１
0003227219.tif 000002
【実用新案登録請求の範囲】
【請求項１】
ユーザが睡眠を取る際に手首に巻装して夜尿を未然に防ぐ夜尿抑制具であって、
厄除け、魔除け、招福、開運、幸運の中の少なくとも１つの前記ユーザの願いを象った縁起物と、
前記縁起物を収容し、前記手首に巻装可能な布部材と、
を備えることを特徴とする夜尿抑制具。
【請求項２】
請求項１に記載の夜尿抑制具であって、
前記布部材は、前記ユーザが普段から使用しているハンカチ又はタオルであることを特徴とする夜尿抑制具。
【請求項３】
請求項１または請求項２に記載の夜尿抑制具であって、
前記縁起物は、前記ユーザが神の加護があると信じる御守であることを特徴とする夜尿抑制具。
【請求項４】
厄除け、魔除け、招福、開運、幸運の中の少なくとも１つのユーザの願いを象った縁起物を前記ユーザが普段から使用しているハンカチ又はタオルを含む布部材で包む第１の工程と、
前記縁起物を収容する前記布部材を前記ユーザの手首に巻装する第２の工程と、
を備えることを特徴とする夜尿を防ぐ方法。
【考案の詳細な説明】
【技術分野】
【０００１】
本考案は、夜尿抑制具に関する。
【背景技術】
【０００２】
一般的に、５歳未満の乳幼児が夜寝ている間におもらしすることは「おねしょ」と呼ばれ、５歳以上の人が寝ている間に意識せずにおもらしすることが一定期間継続することは「夜尿症」と呼ばれている。従来、おねしょや夜尿症に対しては、様々な対策の商品が開発されている。
【０００３】
本考案に関連する技術として、例えば、特許文献１には、おねしょシーツのビニール面を外側、布面を中側とし、パジャマの上からはけるような余裕と、ウエスト部分はヘソ上のあたりにくるように股上を長く、裾は膝までの長さにすることで漏れを一層防止できるように裁断し、中側の股の部分に前から後ろへ力布をあてて縫製したパジャマの上からはかせるズボンが開示されている。
【０００４】
また、特許文献２には、裾部（Ｄ）が解放されたスカート型のおねしょガード（１００）であって、腰部に形成されたループ状の挿通部（３０）に挿通された止着用ゴム（３ ０Ｇ）を備え、前記裾部（Ｄ）の下方中央には前面部（Ｆ）と後面部（Ｂ）を接合するための止着具（ＳＰ）が取り付けられている、ことを特徴とするおねしょガード（１００）が開示されている。
【先行技術文献】
【特許文献】
【０００５】
【特許文献１】実用新案登録第３０８０８５３号公報
【特許文献２】実用新案登録第３１８１３１２号公報
【考案の概要】
【考案が解決しようとする課題】
【０００６】
上記特許文献１，２の構成によれば、おねしょをしてしまった場合に布団などに漏れないような対策がなされているが、そもそも、おねしょを防ぐことが出来ない。
【０００７】
本考案の目的は、おねしょや夜尿症を治すことを可能とする夜尿抑制具を提供することである。
【課題を解決するための手段】
【０００８】
本考案に係る夜尿抑制具は、ユーザが睡眠を取る際に手首に巻装して夜尿を未然に防ぐ夜尿抑制具であって、厄除け、魔除け、招福、開運、幸運の中の少なくとも１つの前記ユーザの願いを象った縁起物と、前記縁起物を収容し、前記手首に巻装可能な布部材と、を備えることを特徴とする。
【０００９】
また、本考案に係る夜尿抑制具であって、前記布部材は、前記ユーザが普段から使用しているハンカチ又はタオルであることが好ましい。
【００１０】
また、本考案に係る夜尿抑制具であって、前記縁起物は、前記ユーザが神の加護があると信じる御守であることが好ましい。
【００１１】
本考案に係る夜尿を防ぐ方法は、厄除け、魔除け、招福、開運、幸運の中の少なくとも１つのユーザの願いを象った縁起物を前記ユーザが普段から使用しているハンカチ又はタオルを含む布部材で包む第１の工程と、前記縁起物を収容する前記布部材を前記ユーザの手首に巻装する第２の工程と、を備えることを特徴とする。
【考案の効果】
【００１２】
本考案によれば、おねしょや夜尿を抑制することができるため、おねしょや夜尿症を治すことができるという効果を奏する。
【図面の簡単な説明】
【００１３】
【図１】本考案に係る実施形態の夜尿抑制具を示す図である。
【考案を実施するための形態】
【００１４】
以下に、本考案に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１５】
図１は、本考案に係る実施形態の夜尿抑制具１０を示す図である。夜尿抑制具１０は、ユーザが睡眠を取る際に手首２に巻装して夜尿を未然に防ぐための器具である。夜尿抑制具１０は、縁起物１２と、布部材１４とを含んで構成される。
【００１６】
ここでは、ユーザは、５歳以上の子供であるものとして説明するが、もちろん、５歳未満であってもよく、また、中学生以上の子供や大人であってもよい。
【００１７】
縁起物１２は、厄除け、魔除け、招福、開運、幸運の中の少なくとも１つのユーザの願いを象った物であり、例えば、ユーザが神の加護があると信じる御守であるものとして説明するが、もちろん、御守以外のもの、例えば、玩具等であってもよい。
【００１８】
縁起物１２である御守の大きさは、ユーザ２の手首２に収まるようなサイズであることが好ましく、例えば、一般的なサイズである縦に７ｃｍ、横に５ｃｍに設定することができるが、ロングサイズである縦に８ｃｍ、横に３．５ｃｍに設定してもよい。
【００１９】
もちろん、小さな子供に装着することを考慮して、小さいサイズ、例えば、札守サイズの縦に４．３ｃｍ、横に２．２ｃｍに設定したり、ミニサイズの縦に２ｃｍ、横に１．５ｃｍに設定してもよい。
【００２０】
また、一般的な略矩形のサイズだけでなく、五角形などの多角形に設定することも可能である。縁起物１２である御守は、身に着けて持ち歩くということを考慮して、肌触りがよい材質、例えば、綿などで構成されている。
【００２１】
布部材１４は、縁起物１２を収容し、ユーザの手首２に巻装可能な布であり、例えば、ユーザが普段から使用しているハンカチ又はタオルであるものとして説明するが、もちろん、ハンカチ又はタオル以外のもの、例えば、スカーフやバンダナ等であってもよい。
【００２２】
布部材１４は、縁起物１２を収容しつつ、ユーザの手首２に巻装することを想定したサイズに設定することが好ましく、例えば、例えば、縦に３０ｃｍ、横に３０ｃｍの正方形であるが、サイズを大きくしたり、縦横の比率を変えて長方形にすることも可能である。
【００２３】
布部材１４は、ユーザの手首２に装着することを考慮して肌触りの良い材質で構成することが好ましく、例えば、綿、麻、シルクなどで構成することが出来るが、もちろん、その他の材質で構成することが出来る。
【００２４】
続いて、上記構成の夜尿抑制具１０を用いて夜尿を抑制する方法について説明する。一般的に、「おねしょ」や「夜尿」は、睡眠中に無意識に排尿してしまう行為のことを意味する。おねしょや夜尿は、睡眠中に尿が溜まり、睡眠中であるがために意識の作用が及びにくく、無意識に放尿するものと考えられている。
【００２５】
通常は、膀胱の充満状態が神経を経由して脳に伝わって尿意となり、脳からの命令が神経を経由して排尿器官に伝わり放尿となる。しかしながら、意識の作用が及ばないと、脳には伝わらず反射的に放尿してしまうことがある。
【００２６】
おねしょや夜尿の対策として、就寝前に水分を取るのを控えるといった対策や、就寝前に排尿を済ましておくといった対策が考えられるが、これらの対策を講じた場合であっても、おねしょや夜尿が治らない場合がある。このような場合に、夜尿抑制具１０を用いて夜尿を抑制する方法が効果を発揮する。
【００２７】
夜尿抑制具１０を用いて夜尿を抑制する方法によれば、最初に、ユーザが普段から使用しているハンカチやタオルなどの布部材１４を図１（ａ）のように広げて、御守などの縁起物１２を布部材１４の中央部に配置し、縁起物１２を収容するように布部材１４を包む（第１の工程）。
【００２８】
第１の工程において、布部材１４を包むのはユーザ自身が行ってもよいが、ユーザの両親や祖父母などが行ってもよい。なお、ユーザ自身が包まなくても、縁起物１２が収容されている様子をユーザ自身が見ておくことが好ましい。なぜなら、御守が自分を守っているという安心が後述するように潜在意識に届きやすくなるからである。
【００２９】
布部材１４で縁起物１２を包んだ後は、図１（ｂ）に示されるように、ユーザの手首２に巻き付ける（第２の工程）。第２の工程は、ユーザ自身が行ってもよいが、結ぶ作業の煩わしさを鑑みると、家族にサポートしてもらうことが好ましい。
【００３０】
上述したように、夜尿症のユーザは、睡眠中に無意識に排尿してしまうという課題がある。おねしょや夜尿したことを悔やんだり、恥ずかしいという気持ちが生じる回数が多くなるほど、潜在意識に刷り込まれてしまうため、夜尿を繰り返してマイナスのスパイラルに入る虞があり、夜尿症は治癒しにくいという課題がある。
【００３１】
しかしながら、夜尿抑制具１０を用いて夜尿を抑制する方法によれば、縁起物１２を収容した布部材１４でユーザの手首２を結んだ状態で就寝する。これにより、ユーザが神の加護があると信じる御守が布部材１４によって手首２に結び付けられているため、神に守られているという安心が潜在意識までしっかりと届き、夜尿による失敗などのマイナスなイメージが払しょくされる。
【００３２】
したがって、夜尿抑制具１０によれば、おねしょや夜尿を防ぐことができ、夜尿症を簡単に治すことが出来るという顕著な効果を奏する。
【００３３】
上記夜尿抑制具１０は、縁起物１２は御守りで、布部材１４はハンカチなどである物として説明したが、もちろん、これに限定されず、ユーザが夜尿に対する不安を払拭することに貢献しうる縁起物１２や肌触りがよく、手首２に巻装できる布部材であれば、同様の効果を発揮する。
【符号の説明】
【００３４】
２  手首、１０  夜尿抑制具、１２  縁起物、１４  布部材。
【図１】
0003227219.tif 000003
【手続補正書】
【提出日】令和2年4月14日(2020.4.14)
【手続補正１】
【補正対象書類名】実用新案登録請求の範囲
【補正対象項目名】全文
【補正方法】変更
【補正の内容】
【実用新案登録請求の範囲】
【請求項１】
ユーザが睡眠を取る際に手首に巻装して夜尿を未然に防ぐ夜尿抑制具であって、
厄除け、魔除け、招福、開運、幸運の中の少なくとも１つの前記ユーザの願いを象った縁起物と、
前記縁起物を収容し、前記手首に巻装可能な布部材と、
を備えることを特徴とする夜尿抑制具。
【請求項２】
請求項１に記載の夜尿抑制具であって、
前記布部材は、前記ユーザが普段から使用しているハンカチ又はタオルであることを特徴とする夜尿抑制具。
【請求項３】
請求項１または請求項２に記載の夜尿抑制具であって、
前記縁起物は、前記ユーザが神の加護があると信じる御守であることを特徴とする夜尿抑制具。
【手続補正２】
【補正対象書類名】明細書
【補正対象項目名】００１１
【補正方法】削除
【補正の内容】